(57)【要約】【課題】外科手術等で使われるガーゼの自動折り畳み機に関するものである。従来から外科手術等で使われているガーゼは中国などの人件費の安く労働力の豊富な国で大勢の作業員の手作業によって折り畳まれていて、衛生面などからも改善が求められている。【解決手段】本発明は上記目的を達成する為に、ガーゼの形をした反転板を回転台（円盤）の上に回転台とは別に設けて、この上に1枚に切り離されたガーゼを乗せ反転板を180度反転させるとガーゼは反転板の中でＳ字型又はＺ字型に折り畳まれる、すると、回転台（円盤）が折り畳まれたガーゼを乗せたまま、反転板から抜けだしてガーゼ1枚分又は60度、又は120度回転して停止、すると上から2次折り込み板が降りて来てガーゼの姿を最終の形に折り畳む事が出来る。【選択図】図２
2020081446.tif 000002
【特許請求の範囲】
【請求項１】
返し板がガーゼを凡3等分に折り畳むと直ぐに下の円盤状の回転台が60度又は120度回転して凡3等分に畳まれたガーゼを返し板から抜け出て移動させ、次の押し込み板まで来ると更に二つに折り畳んで下に落とす事により高速で連続した生産が出来る事を特徴としたガーゼ折り畳み装置。
【発明の詳細な説明】
【技術分野】
【０００１】
この発明は外科手術等で使われるガーゼの自動折り畳み機に関するものである。
【背景技術】
【０００２】
従来から外科手術等で使われているガーゼは中国などの人件費の安く労働力の豊富な国で大勢の作業員の手作業によって折り畳まれていて、衛生面などからも改善が求められている。
【０００３】
そこでこの発明は回転する回転台（円盤）の上に回転台（円盤）と独立したガーゼの形の反転板があって、この上に1枚にカットされたガーゼを置き反転板が180℃反転するとガーゼは瞬時にＳ字型又はＺ字型に折り畳まれる、すると下の回転台（円盤）がガーゼの形をした反転板を残してＳ字型又はＺ字型に畳まれたガーゼと共にガーゼ1枚分回転して停止すると、上からガーゼ2次折り込み板が降りて来てガーゼを最終の形に折り畳む。折り畳まれたガーゼが抜けた反転板はガーゼが抜けると180℃反転して元の位置に戻る、するとカットされたガーゼが反転板の上に運ばれる。
【先行技術文献】
【特許文献】
【０００４】
【特許文献１】特開２０１５−１２０５９７
【発明の概要】
【発明が解決しようとする課題】
【０００５】
従来からガーゼの形をした反転板の上に1枚に切断されたガーゼを乗せてガーゼの形をした反転板を180度反転した後、2次折り込みの為に、反転板を引き抜く為に400mm以上引き抜かなければならない、また引き抜いた後、また400mm以上元の位置まで戻してさらに180度逆反転しなければならないので、非常に時間が掛かり生産性が悪い
【０００６】
本発明はこのような構造上の欠点を大幅に改善する為の物であり、一連の動作を円盤状の回転台又はコンベアーの上で行うことで大幅な時間の短縮が可能である。
【課題を解決するための手段】
【０００７】
そして、本発明は上記目的を達成する為に、ガーゼの形をした反転板を回転台（円盤）の上に回転台（円盤）とは別に設けて、この上に1枚に切り離されたガーゼを乗せ反転板を180度反転させるとガーゼは反転板の中でＳ字型又はＺ字型に折り畳まれる、すると、回転台（円盤）が折り畳まれたガーゼを乗せたまま、反転板から抜けだしてガーゼ1枚分回転して停止、すると上から2次折り込み板が降りて来てガーゼの姿を最終の形に折り畳む事が出来る。
【発明の効果】
【０００８】
回転台（円盤）が回転する事でガーゼの形をした反転板からガーゼが抜け出るまでの距離と時間が非常に短くなると共に回転台（円盤）がガーゼ1枚分回転すると同時に次の動作が始まっているので効率よく折り畳むことが出来る。
又回転台（円盤）ではなくコンベアーの様に平行に移動しても同様な効果が得られる
【図面の簡単な説明】
【０００９】
【図１】従来の折り畳も装置の実施形態図
【図２】本発明に係る回転台方式に成った折り畳み装置の第１の実施形態図
【図３】本発明の畳み方の行程を示す図
【図４】本発明の第２の実施形態の第１工程図
【図５】本発明の第２の実施形態の第２工程図
【図６】本発明の第２の実施形態の第３工程図
【図７】本発明の第２の実施形態の第４工程図
【図８】本発明の第２の実施形態の第５工程図
【図９】本発明の第２の実施形態の第６工程図
【図１０】本発明の第２の実施形態の第７工程図
【図１１】本発明の第２の実施形態の第８工程図
【発明を実施するための形態】
【００１０】
No7ガーゼ折り畳み装置新タイプ
外科手術で使われているガーゼは手術の際に医師がガーゼを素早く取り出せる様に特別な形に折り畳まれている、従来からこのような複雑な形に畳むには、大勢の作業員の手作業で行なわれていた、これを解決する為に薄い板又はワイヤー、樹脂、などで作られたガーゼの形をした板の上にガーゼを置いてガーゼの形をした薄い板（ワイヤー又は樹脂製）を180度反転すると、薄い板の上のガーゼは瞬時にしてＳ字型又はＺ字型の折り畳まれる、すると下の回転台（円盤）が回転してガーゼの形をした反転板を残してＳ字型又はＺ字型に畳まれたガーゼは回転台（円盤）に乗ったまま、ガーゼ1枚分又は60度、又は120度回転する、すると上から2次折り込み板が降りて来てＳ字型又はＺ字型に畳まれた回転台（円盤）の上のガーゼの中央付近を押し込んで目的の形に折り畳むことが出来る。
【００１１】
図１は従来の折り畳み装置を説明する図面である。図1の1は、畳まれるガーゼが、ガーゼ返し板の上に乗る前のガーゼ返し板、図1の2はガーゼ2次押し込み溝が開いている台、図1の3はガーゼ返し板の上に乗ったガーゼ、図1の4はガーゼを反転させたガーゼ返し板、図1の5はＳ字型又はＺ字型に畳まれたガーゼ、図1の6はＳ字型又はＺ字型に畳んだガーゼからガーゼ返し板が矢印の方に抜けた図、図1の7はガーゼ2次押し込み板、図1の8は2次押し込み板、図1の9は2次押し込み溝、図2の10はS字型又はZ字型に畳まれたガーゼを2次押し込み溝へ押し込んで最終の形に折り畳まれたガーゼ、を表している。
図2は、本発明に係る回転台（円盤）方式に成った折り畳み装置の第１の実施形態図である。図2の1は回転台（円盤）、図2の2はガーゼ返し板、図2の3はガーゼ返し板の上のガーゼ、図2の4は反転してガーゼをＳ字型又はＺ字型に折り畳んだガーゼ返し板、図2の5はＳ字型又はＺ字型に折り畳まれたガーゼ、図2の6は回転台が60度回転してガーゼ返す板からガーゼが抜き出たガーゼ、図2の7は回転台が動いてＳ字型又はＺ字型に折り畳まれたガーゼの上から2次押し込み板が降りて来た図、図2の8は2次折り込み板、図2の9は2次折り込み溝図2の10は2次折り込み板がS字型又はZ字型に畳まれたガーゼの上から2次押し込み板が降りて来て最終のNo7の形状に折り畳まれた図を表す。
図３は本発明の畳み方の行程を示す図である。図３の１は返し板でありガーゼ返し板の上にガーゼが乗った所を表す、図3の2は返し板がガーゼを押し上げ始めた図、図3の3は返し板が90度回転した所を表す、図3の4は返し板が180度回転してガーゼをS字型又はZ字型に折り畳んだ所を表す、図3の5は折り畳まれたガーゼを乗せた回転台（円盤）が回転して畳まれたガーゼが返し板から抜け出し始めた所を表す、図３の6は更に円盤が回転して返し板からガーゼが抜け出した所を表す、図3の7、8、9、は返し板がガーゼをS字型又はZ字型に折り畳んで畳まれたガーゼが返し板から抜け出る様子を表している。図4の1は円盤台、図4の2はガーゼ返し板、図4の7は2次ガーゼ折り込み溝、図4の8はガーゼ2次折り込み板、図5の2はガーゼが乗った返し板、図5の3は返し板の上に乗ったガーゼ、図6の4は返し板が180度回転して上のガーゼを瞬時にS字型又はZ字型に折り畳んだ物を表す、図6の5はS字型又はZ字型に折り畳まれたガーゼを表す、図7の6は回転台（円盤）が60度又は120度回転して返し板から抜け出したガーゼを表す。図8の8は回転台（円盤）が60度又は120度回転して上のガーゼが2次折り込み板の下に来た図、図9の８は2次折り込み板がS字型又はZ字型に畳まれたガーゼを2次折り込み溝に押し込む所を表す、図9の9は反転して元の位置へ戻った返し板の上に新たに乗ったガーゼを表す。図10の8は2次押し込み板がガーゼを押し込んだ後元の位置まで戻った所を表す、図11の8，10は2次押し込み板がS字型又はZ字型に畳まれたガーゼを2次押し込み溝の中へ押し込んでN o7ガーゼの最終の形に折りこむ過程を表している。
【図１】
2020081446.tif 000003
【図２】
2020081446.tif 000004
【図３】
2020081446.tif 000005
【図４】
2020081446.tif 000006
【図５】
2020081446.tif 000007
【図６】
2020081446.tif 000008
【図７】
2020081446.tif 000009
【図８】
2020081446.tif 000010
【図９】
2020081446.tif 000011
【図１０】
2020081446.tif 000012
【図１１】
2020081446.tif 000013